(57)【特許請求の範囲】
【請求項１】
光源と、
意匠形状の透過部を備える遮光層と、
前記遮光層の反観察者側に設けられ前記光源の光を反射させ前記透過部に導く所定の凹凸形状からなる反射部を反観察者面に有する透光性基板と、
前記透光性基板の反観察者側において少なくとも前記透過部に対応する領域に設けられる金属調層と、
を備えることを特徴する表示装置。
【請求項２】
前記透過部は、前記透光性基板を臨む開口であり、
前記透光性基板は、前記透過部に嵌合する凸部を備えることを特徴とする請求項１に記載の表示装置。
【請求項３】
前記光源は、前記透光性基板の外縁に形成される入射面に対向して設けられることを特徴とする請求項１に記載の表示装置。
【請求項４】
前記金属調層は、前記透光性基板とは別体の基材に設けられることを特徴とする請求項１に記載の表示装置。
【請求項５】
前記凸部は、目盛形状であることを特徴とする請求項２に記載の表示装置。
【発明の詳細な説明】
【技術分野】
【０００１】
本発明は、車両等に搭載する表示装置に関するものであって、特に金属調の外観によって高級感を演出する表示装置に関するものである。
【背景技術】
【０００２】
特許文献１に開示される表示装置は、昼間と夜間とで外観を変化させる表示装置が開示されている。特許文献１は、光透過性の基板の観察者側に外光反射により視認される白色の半透過インク層が設けられ、反観察者側には、半透過インク層に対向するように有彩色の半透過インク層が設けられ、意匠を形成している。以上のような表示装置は、昼間は外光反射により白色で意匠が視認され、夜間には背面に設けられる光源によって照明され、有彩色で意匠が視認されるものであり、昼間と夜間とで外観を変化させる斬新な演出で商品性を向上させている。
【特許文献１】実開平５−６４７２７号公報
【発明の開示】
【発明が解決しようとする課題】
【０００３】
近年車両等に搭載される表示装置においては、昼間と夜間とで外観を変化させる以外にも、金属調の外観による高級感の演出が求められている。
【０００４】
特許文献１に開示される表示装置のように、周囲が暗い夜間等に透過照明により意匠を視認させる構造に、シルバーやゴールド等の金属材料で形成される金属調の意匠を適用すると、金属調意匠は、昼間等には外光反射により視認することができるが、透過率が低いことから夜間等に透過光によっては視認できないという問題がある。
【０００５】
本発明は、この点に鑑みてなされたもので、周囲の明るい昼間等に外光反射により金属調に視認される意匠を周囲の暗い夜間等には外観を異ならせて表示可能とすることで、斬新な演出と高級感のある外観によって商品性を向上させることができる表示装置を提供することを目的とする。
【課題を解決するための手段】
【０００６】
本発明は、前述した課題を解決するため、光源と、意匠形状の透過部を備える遮光層と、前記遮光層の反観察者側に設けられ前記光源の光を反射させ前記透過部に導く所定の凹凸形状からなる反射部を反観察者面に有する透光性基板と、前記透光性基板の反観察者側において少なくとも前記透過部に対応する領域に設けられる金属調層と、を備える。
【０００７】
また本発明は、請求項２に記載のように、前記透過部は、前記透光性基板を臨む開口であり、前記透光性基板は、前記透過部に嵌合する凸部を備える。
【０００８】
また本発明は、請求項３に記載のように、前記光源は、前記透光性基板の外縁に形成される入射面に対向して設けられる。
【０００９】
また本発明は、請求項４に記載のように、前記金属調層は、前記透光性基板とは別体の基材に設けられる。
【００１０】
また本発明は、請求項５に記載のように、前記凸部は、目盛形状である。
【発明の効果】
【００１１】
本発明は、光源と、意匠形状の透過部を備える遮光層と、前記遮光層の非表示側に設けられ前記光源の光を反射させ前記透過部に導く凹状の反射部を非表示側に備える透光性基板と、前記透光性基板の非表示側において少なくとも前記透過部に対向する領域もしくは前記透過部周囲に対向する領域に設けられ金属材料からなる金属調層と、を備え、昼間と夜間とで外観を変化させる斬新な演出と金属調の高級感のある外観とによって商品性を向上させることができる。
【発明を実施するための最良の形態】
【００１２】
以下、添付図面に基づいて、本発明を適用した表示装置の実施形態を説明する。
【００１３】
図１から図３は、本発明の第１の実施形態を示す。図１は、表示装置の正面図であり、図２は、図１のＡ−Ａ断面図であり、図３は、図１のＡ−Ｂ要部断面図である。
【００１４】
本実施形態による表示装置は、図１から図３に示すように、光源１，２と、指針３と、文字板４と、透光性基板（以下、導光体と記す）５と、金属調層６と、をケース７に収容してなり、指針３と文字板４との対比判読によるアナログ表示を用いて例えば、車両のエンジン回転数を示す。
【００１５】
光源１，２は、後に詳述する指針３を照明する指針光源１と、後に詳述する文字板４及び導光体５を照明する意匠光源２とで構成される。指針光源１及び意匠光源２は、それぞれ後に詳述する回路基板８，９に実装されるトップビュータイプの発光ダイオードであり白色発光する。指針光源１は、指針３の反観察者側に設けられ、指針３を背面から照明するバックライトであり、意匠光源２は、導光体５の側方から光を入射して観察者側に設けられる意匠をなす透過部１０を照明するエッジライトである。
【００１６】
指針３は、アクリルやポリカーボネイト(ＰＣ)等の透光性材料からなり、後で詳述する回路基板８の背面に設けられた駆動源１１の中央から延びる駆動軸１２に設けられ、駆動軸１２の回動に伴って回動してなる。指針３は、駆動軸１２が挿入され、光源１の光を受光する回動中心部１３と、回動中心部１３からスラスト方向に延び、透光性材料が露出する指針部１４とを備える。回動中心部１３は、遮光性の指針キャップ１５によって覆われてなる。
【００１７】
指針部１４は、その観察者側面にホットスタンプ等によって設けられる透過性の白色印刷層が設けられ、周囲が明るい昼間等に指針光源１を用いず外光反射によって表示される場合には、この白色印刷層によって白色で視認され、周囲が暗い夜間等には、指針光源１からの放たれる光が白色印刷層を透過して、白色の透過光となり白色で視認される。
【００１８】
駆動源１１は、ステッピングモータや交差コイル等からなり、後に詳述する回路基板８の背面に設けられる。駆動源１１は、駆動源１１から回路基板８を貫通して文字板４方向に延びる駆動軸１２を有し、駆動軸１２の先端には、指針３の回動中心部１３が固定される。  
【００１９】
文字板４は、合成樹脂等からなる透光性部材に、例えば黒色系の遮光性インクが塗布されてなる遮光層（以下、背景部と記す）１６と、透過部１０と、を備え、その観察者側には指針３が回動する。
【００２０】
透過部１０は、白色系の透過性有彩色インクで形成され車両のエンジン回転数を示す指標となる０から８の数字１７と、この数字１７に対応して設けられる目盛形状の開口である目盛部１８とによって意匠を構成し、０．５刻みで円弧状に付されてなり、指針指示される。数字１７は、周囲の明るい昼間等は外光反射により当該有彩色で視認され、周囲の暗い夜間等は、透過性インクで形成された数字１７を当該有彩色を帯びた透過光で視認する。なお、背景部１６をなす遮光層は、導光体５に直接印刷等によって形成してもよく、あるいは遮光性の板材等を用いてもよい。
【００２１】
導光体５は、アクリル，ポリカーボネート(ＰＣ)やシクロオレフィンポリマー(ＣＯＰ)等からなる透明部材であり、文字板４の反観察者側面に沿って設けられる。導光体５は、その外縁に入射面１９を備え、入射面１９に対向して設けられる意匠光源２からの光を受光し、導光体５全体に光を拡散する。導光体５は、観察者側面に凸部２０と反観察者側面に反射部２１とを備える。
【００２２】
凸部２０は、目盛形状に突出してなり、文字板４に開口して設けられる目盛部１８に挿通され、文字板４上に露出する。凸部２０を以上のように構成することで、立体感のある見栄えを提供することができる。
【００２３】
反射部２１は、導光体５の反観察者側面において文字板４に設けられる透過部１０に対向する意匠領域Ｓに設けられるＶ字状に凹んだ微小な溝を複数連続させてなる所定の凹凸パターン形状を有する。反射部２１は、粗面加工によるこのＶ字状に凹んだ微小な溝を形成する反射面で光を透過部１０（数字１７及び目盛部１８）に向かって反射する。以上の構成によって設けられる反射部２１は、周囲が暗い夜間等、意匠光源２から放たれ入射面１９から入射する透過光Ｌ１を透過部１０に向け反射する。観察者は、この透過光Ｌ１によって、意匠光源２の発光色で高輝度に発光する目盛を視認する。なお、反射部２１は、溝に限らずドットやシボ等の凹凸パターン形状を用いてもよく、その形成箇所も透過部１０に光が反射するのであれば、図４に第２の実施形態として示すように、透過部１０の外縁に対応する外縁領域Ｅに形成するものであってもよい。
【００２４】
金属調層６は、導光体５の反観察者側に空気層を介して設けられる合成樹脂からなる基材２２の観察者側面に印刷や蒸着等によってゴールドやシルバー調の表面を有するものであり、目盛部１８に対向するように略目盛部１８と略合同に形成されてなる。以上の構成によって設けられる金属調層６は、周囲が明るい昼間等、透過部１０（目盛部１８）から入光する外光Ｌ２が反射して、その反射した外光Ｌ２を観察者が視認することで、金属調の（メタリックな）外観を演出するものである。
【００２５】
なお、本実施形態においては、金属調層６を導光体５に直接設けると、微細な粗面加工を施してなる反射部２１の溝を金属調層６で埋めてしまう可能性があり、反射光の制御を複雑にしてしまうことを防ぐため、導光体５との間に空気層を設定し、導光体５とは別体の基材２２に設けるものである。これにより、金属調層６の表面積を確保して高い反射率とすることができる。しかしながら、反射部２１の溝を金属調層６で埋めることなく、また、所望の反射率を確保できるのであれば、図４に第２の実施形態として示すように、前記反射部２１を避けて金属調層６を直接導光体５に形成してもよい。
【００２６】
また、図５に第３の実施形態と示すように、反射部２１を透過部１０を除いた透過部１０（目盛部１８）周囲の外縁領域Ｅのみに形成する場合には、目盛部１８に対応して、目盛部１８と合同な金属調層６を直接導光体５の反観察者側面に設けることもできる。
【００２７】
また、金属調層６は、少なくとも目盛部１８に対向して設けるものであればよく、図６に第４の実施形態として示すように、金属調層６を金属製の平板部材で構成し、導光体５の反観察者側全領域と対向させてもよい。
【００２８】
見返し部材２３は、黒色の合成樹脂等からなり、中央に文字板４を臨み文字板４の表示領域を定める窓部２４が設けられる。見返し部材２３は、文字板４の観察者側に所定の間隔を隔てて設けられており、窓部２４は文字板４に垂れ下がり、断面が略すり鉢状となるように傾斜する。
【００２９】
回路基板８は、ガラスエポキシ樹脂等からなる硬質の基板であり、その背面に駆動源１１が実装され、前面にはＬＥＤからなる複数の指針光源２が実装されている。また、回路基板９は、実装される意匠光源２が導光体５入射面１９と対向するように、導光体５に対して垂直に設けられてなる。
【００３０】
ケース６は、合成樹脂からなり、回路基板７の背面側を覆う白色材料と、表示側前面を覆う透明材料とからなり、指針３、文字板４，駆動源１１及び回路基板８，９等の表示装置の主な構成要素を収容するものである。
【００３１】
以上の構成からなる本実施形態の表示装置は、目盛部１８を昼間は金属調の外観で、夜間は発光色の外観で視認させる構成とすることで、昼間と夜間とで外観を変化させる斬新な演出と金属調の高級感のある外観とによって商品性を向上させることができる表示装置を提供することを可能とする。
【００３２】
なお、本実施形態において、意匠照明構造をエッジライト方式としたが、バックライト方式とすることも可能である。バックライト方式の意匠照明構造を採用する場合には、文字板４と導光体５との間に、反観察者側から入射した光を反射部に向けて反射させるための部材を別途設けることが考えられる。
【００３３】
このように本発明は、昼間と夜間とで外観を変化させる斬新な演出と金属調の高級感のある外観とによって商品性を向上させることができる。
【００３４】
また、本発明は、意匠を透光性基板からなる凸部で形成することで、立体感のある見栄えを提供することができる。
【００３５】
また、本発明は、透光性基板の外縁部に形成される入射面に対向して設けられるエッジライトを用いることで、簡素な構造で金属調意匠の外観変化を演出することができる。
【００３６】
また、本発明は、金属調層を、透光性基板とは別体の基材に設けることで、金属調層を簡単に形成することができ、高輝度で発光させることができる。
【００３７】
また、本発明は、凸部からなる透過部を目盛に用いることで、数字に用いる場合に比べて簡易な構造とすることができる。
【００３８】
また、本実施形態において、光源２，３には、白色発光のＬＥＤを用いたが、光源及びその発光色は任意である。
【００３９】
なお、本実施形態において、金属調意匠を目盛部に適用するものであったが、本発明においては、金属調意匠を数字やワーニング等の警告表示記号等の他の意匠に任意に適用することができる。
【図面の簡単な説明】
【００４０】
【図１】第１の実施形態による表示装置の正面図。
【図２】図１のＡ−Ａ断面図。
【図３】図１のＡ−Ｂ要部断面図。
【図４】第２の実施形態による表示装置の要部断面図。
【図５】第３の実施形態による表示装置の要部断面図。
【図６】第４の実施形態による表示装置の要部断面図。
【符号の説明】
【００４１】
１  指針光源
２  意匠光源
３  指針
４  文字板
５  導光体（透光性基板）
６  金属調層
１０  透過部
１６  背景部（遮光層）
１８  目盛部
１９  入射面
２０  凸部
２１  反射部
L１  透過光
L２  外光
【図１】
0004797503.tif 000002
【図２】
0004797503.tif 000003
【図３】
0004797503.tif 000004
【図４】
0004797503.tif 000005
【図５】
0004797503.tif 000006
【図６】
0004797503.tif 000007